(57)【特許請求の範囲】
【請求項１】
予め製造時に後カバーとの間に写真フイルムが装填される本体基部と、この前側に取り付けられ、ストロボ基板に充電スイッチ等のストロボ部品をユニット化したストロボユニットと、このストロボユニットを本体基部との間に挟むように本体基部の前側を覆う前カバーとからなるレンズ付きフイルムユニットにおいて、
前記ストロボ基板と前カバーとの間に前記充電スイッチをオンオフする充電操作部材をその一部が前カバーに形成された開口を通して外部に突出するようにスライド自在に設けるとともに、前記ストロボ基板と前記充電操作部材との間に前記充電操作部材を摺動自在にガイドするガイド部材を設けたことを特徴とするレンズ付きフイルムユニット。
【請求項２】
前記ガイド部材は、前記ストロボ基板上の半田の盛り上がり等の基板凸部を避けた位置でストロボ基板の平面部に当接する突起部を有するとともに、前記基板凸部と相対する位置に基板凸部を避ける凹部や穴を有することを特徴とする請求項１記載のレンズ付きフイルムユニット。
【請求項３】
前記ガイド部材と前記充電操作部材とは協働して、前記充電操作部材を前記充電スイッチがオンするオン位置とオフするオフ位置とにそれぞれクリックストップするクリックストップ機構を構成することを特徴とする請求項１または２記載のレンズ付きフイルムユニット。
【請求項４】
前記充電スイッチは、前記ストロボ基板上に形成された導通パターンと、この導通パターン近傍のストロボ基板上に一端部が固定され、他端部が前記導通パターンと対面するように中間部がほぼＵ字型に湾曲された電気接片とからなることを特徴とする請求項１ないし３いずれか記載のレンズ付きフイルムユニット。
【発明の詳細な説明】
【０００１】
【発明の属する技術分野】
本発明は、ストロボ基板に充電スイッチ等のストロボ部品がユニット化されたストロボユニットを内蔵したレンズ付きフイルムユニットに関するものである。
【０００２】
【従来の技術】
誰でも簡単に写真撮影を楽しむことができるように、写真フイルムが予め装填されており、撮影終了後には面倒な巻き戻し操作をすることなくそのまま現像取扱店に提出すれば、 現像済みのネガとプリント写真とが返却されるレンズ付きフイルムユニットが本出願人より製造・販売されている。
【０００３】
このようなレンズ付きフイルムユニットの中には、暗い場所でも撮影ができるようにストロボ装置付きのものが市販されている。このレンズ付きフイルムユニットのユニット本体は、予め製造時に後カバーとの間に写真フイルムが装填される本体基部と、この本体基部の前側中央部に取り付けられ、撮影レンズやシャッタ機構をユニット化した露光ユニットと、前記本体基部の前側の露光ユニット近傍に取り付けられ、ストロボ基板に充電スイッチやストロボ発光部等をユニット化した簡易なストロボ装置であるストロボユニットと、前記露光ユニット及びストロボユニットを本体基部の前面との間に挟むように本体基部の前面を覆う前カバーとからなる。
【０００４】
前記充電スイッチをオンオフする充電操作部材としては、前カバーの一部を舌片状に切り欠いて厚み方向に変位自在としたものの他、前カバーに対してスライド自在に設けられたものがある。このスライド式の充電操作部材の構造としては、前カバーそのものにガイドを設けてスライド自在に組み込むものと、ストロボ基板と前カバーとの間に挟持するものとがある。
【０００５】
【発明が解決しようとする課題】
上記前カバーそのものにガイドを設けて充電操作部材をスライド自在に組み込む方式では、前カバーの構造が複雑になるとともに、ユニット本体の組立工程前に前カバーに充電操作部材を組み込む別工程が必要となって生産効率や生産コストの面で不利となる。そのような点では、充電操作部材をストロボ基板と前カバーとの間に挟持する方式の方が有利であるが、組立工程において充電操作部材の安定した位置決めが困難になるという欠点がある。また、充電スイッチの脇の本体基部に充電操作部材のガイド構造を形成できればよいが、レンズ付きフイルムユニットの薄型化のために、そのような構造を採ることが困難である。
【０００６】
本発明は、上記問題点を解決するためのもので、簡単な構成でありながら前カバーの取付前に充電操作部材をストロボ基板に対して安定的にガイドできるようにしたレンズ付きフイルムユニットを提供することを特徴とする。
【０００７】
【課題を解決するための手段】
上記問題点を解決するために、本発明のレンズ付きフイルムユニットは、予め製造時に後カバーとの間に写真フイルムが装填される本体基部と、この前側に取り付けられ、ストロボ基板に充電スイッチ等のストロボ部品をユニット化したストロボユニットと、このストロボユニットを本体基部との間に挟むように本体基部の前側を覆う前カバーとからなるレンズ付きフイルムユニットにおいて、前記ストロボ基板と前カバーとの間に前記充電スイッチをオンオフする充電操作部材をその一部が前カバーに形成された開口を通して外部に突出するようにスライド自在に設けるとともに、前記ストロボ基板と前記充電操作部材との間に前記充電操作部材を摺動自在にガイドするガイド部材を設けたものである。
【０００８】
また、前記ガイド部材は、前記ストロボ基板上の半田の盛り上がり等の基板凸部を避けた位置でストロボ基板の平面部に当接する突起部を有するとともに、前記基板凸部と相対する位置に基板凸部を避ける凹部や穴を有するものである。
【０００９】
前記ガイド部材と前記充電操作部材とは協働して、前記充電操作部材を前記充電スイッチがオンするオン位置とオフするオフ位置とにそれぞれクリックストップするクリックストップ機構を構成するものである。また、前記充電スイッチは、前記ストロボ基板上に形成された導通パターンと、この導通パターン近傍のストロボ基板上に一端部が固定され、他端部が前記導通パターンと対面するように中間部がほぼＵ字型に湾曲された電気接片とから構成したものである。
【００１０】
【発明の実施の形態】
図２において、本発明のレンズ付きフイルムユニット１は、撮影機構を備え、予め写真フイルムを装填したユニット本体２と、これをのり巻き状に覆う外装ラベル３とから構成されている。外装ラベル３には、ストロボ充電の完了を表示する上下動自在のライトガイド４，フイルムカウンタ窓５等を露呈させるための開口等が形成されている。
【００１１】
ユニット本体２の前部には、左右方向にスライドされる開閉自在なレンズバリア６，これの開位置で露呈される撮影レンズ７，この撮影レンズ７と同様にレンズバリア６の開位置で露呈されるファインダ窓８，ストロボ発光部９及び充電操作部材としての上下動自在のストロボ充電操作ノブ１０が設けられ、また背面部には巻上げノブ１１が設けられている。そして、上部には、前記ライトガイド４，フイルムカウンタ窓５の他、シャッタボタン１２が設けられている。
【００１２】
前記ライトガイド４は、前記ストロボ充電操作ノブ１０の上側への移動に連動してフイルムユニット２の上部から突出され、ストロボ充電が完了すると発光し、撮影者と被撮影者との両方にストロボ充電が完了したことを知らせる。
【００１３】
図３に示すように、ユニット本体２は、前カバー１３、本体基部１４、露光ユニット１５、ストロボユニット１６、写真フイルムカートリッジ１７、及び後カバー１８で構成されている。本体基部１４には、一端側にカートリッジ２０が収納されるカートリッジ収納室２１が、また他端側にカートリッジ２０から写真フイルム２２をロール状に引き出したフイルムロール２２ａを収納するフイルムロール室２３がそれぞれ一体に設けられている。そして、本体基部１４の前側中央部でカートリッジ収納室２１寄りの位置に前記露光ユニット１５が取り付けられ、また露光ユニット１５とフイルムロール室２３との間に前記ストロボユニット１６が取り付けられる。
【００１４】
後カバー１８には、カートリッジ収納室２１とフイルムロール室２３との底を塞ぐためのプルトップ式の底蓋１８ａ，１８ｂがそれぞれ設けられている。後カバー１８を取り付けた後に、これらの底蓋１８ａ，１８ｂで各室２１，２３の底を塞ぐことで写真フイルムカートリッジ１７が本体基部１４との間で光密に収納される。カートリッジ収納室２１の底を塞ぐ底蓋１８ａは、現像所で撮影済みの写真フイルム２２を収納したカートリッジ２０を取り出すときに開かれる蓋である。
【００１５】
カートリッジ収納室２１の上には、巻上げノブ１１が回転自在に設けられている。巻上げノブ１１は、一部が後カバー１８の開口２５から露呈している。フイルム巻き上げ操作を行うと、未露光の写真フイルム２２がフイルムロール室２３から引き出されて露光ユニット１５の後方に設けられた本体基部１４のアパーチャにセットされ、これと同時に露光済みの写真フイルム２２がカートリッジ２０の内部に収納される。
【００１６】
露光ユニット１５は、撮影レンズ７、シャッタ機構、フイルム巻き止め機構、シャッタチャージ機構、及びフイルムカウンタ機構等をユニット化したものである。
【００１７】
シャッタボタン１２は、前カバー１３の上面に一部を切り欠いて弾性自在に設けられており、押下操作により露光ユニット１５のシャッタ機構を作動させる。シャッタ機構は、シャッタ開口の前面でシャッタ羽根が一揺動するタイプである。シャッタ羽根が揺動すると、被写体光が前カバー１３の撮影窓１３ａ、及び、露光ユニット１５の撮影レンズ７を通った被写体光がシャッタ開口を通ってアパーチャにセットされた写真フイルム２２に入射する。
【００１８】
前カバー１３の前面には、前記撮影窓１３ａの他、前記ストロボ充電操作ノブ１０が上下動自在に露呈される開口１３ｂ，ストロボ発光部９を露呈させる開口１３ｃ等が形成されているとともに、前記レンズバリア６が撮影窓１３ａを露呈する開位置と撮影窓１３ａを覆う閉位置との間でスライド自在に組みつけられている。
【００１９】
ストロボユニット１６は、電源回路、ストロボ充電回路、及びストロボ発光回路等のストロボ回路をもったストロボ基板３１に、前記ストロボ発光部９の他、メインコンデンサ３２、電源電池３３、シンクロスイッチ３４、及び前記ストロボ充電操作ノブ１０の上下動によってオンオフされるストロボ充電スイッチ３５等を一体的に取り付けたユニット部品である。
【００２０】
図１に示すように、前記ストロボ充電操作ノブ１０には、平板状の操作ノブ基部３８が一体に設けられており、この操作ノブ基部３８には、開口３８ａ，３８ｂ，３８ｃ及びスロープ状に傾斜した突条部３８ｄ，先端に水平方向に延びた二股突起部３９を有する突起部３８ｅが形成されている。そして、前記ストロボ基板３１と操作ノブ基部３８との間には、操作ノブ基部３８をストロボ基板３１に対してストロボ充電操作ノブ１０の移動方向（図面上では垂直方向）にスライド自在に位置決めするガイド部材４０が設けられている。
【００２１】
前記ガイド部材４０には、ストロボ基板３１の表面から突出した回路素子の脚，半田の盛り上がり４２や本体基部１４から突出している係止爪やストロボ充電スイッチ３５等の基板凸部に相対する位置にそれぞれ開口４０ａ〜４０ｆが形成されている。また、前記ガイド部材４０の前面には、操作ノブ基部３８の開口３８ａに係合される突起部４０ｇ，４０ｈと、開口３８ｃに係合される突起部４０ｉとが形成されている。また、前記ガイド部材４０の背面には、前記基板凸部を避けてストロボ基板３１の平面部に当接される複数の安定用突起部４０ｊ，４０ｋ，４０ｍが形成されている。
【００２２】
前記ガイド部材４０には、位置決め用の孔４０ｎと切り欠き４０ｐが形成されている。一方、シンクロスイッチ３４の基部に一体成形されたピン４１がストロボ基板３１の孔３１ａを通してガイド部材４０側に突出している。ガイド部材４０がストロボ基板３１の所定位置に載置された際に、前記ピン４１が孔４０ｎに挿通され、フイルムロール室２３の外壁面に突設されたピン４４が切り欠き４０ｐに挿通される。
【００２３】
前記開口３８ａは縦に細長い形状をしており、片側の縁の途中に小さな突起部４５が形成されている。そして、開口３８ａに係合される突起部４０ｇは、開口３８ａに遊嵌される程度の幅を有する短い長方形をしており、上下の角に突起部４５と係合する凹部４６，４７を有している。すなわち、開口３８ａと突起部４０ｇとはクリックストップ機構を構成しており、突起部４５が凹部４６に係合したときにストロボ充電操作ノブ１０を充電オン位置に、また突起部４５が凹部４７に係合したときにストロボ充電操作ノブ１０を充電オフ位置にそれぞれクリックストップする。なお、開口３８ａと開口３８ｂとの仕切り部３８ｆは細く形成されており、突起部４５が凹部４６，４７間を移動する際に撓むようになっている。
【００２４】
図４に示すように、ストロボ充電スイッチ３５は、一対の可動部４８ａを有する電気接片４８と、ストロボ基板３１上に形成された一対の導通パターン４９とから構成されている。電気接片４８の可動部４８ａは、根元がほぼＵ字型の緩やかな弧を描くように湾曲されており、小さな力で大きな撓み量を得ることができるようにしてある。これにより、可動部４８ａが押圧されて導通パターン４９に接触された状態が長時間にわたっても可動部４８ａの弾性力が減少する（へたる）ことがない。
【００２５】
ストロボ充電操作ノブ１０の背後には、操作ノブ基部３８と一体に平板状の突起部３８ｇが形成されており、これがガイド部材４０の開口４０ｆを通して電気接片４８の可動部４８ａに達している。突起部４５が凹部４７に係合した充電オフ時には、突起部３８ｇは可動部４８ａの根元付近の凹んだ部分５１に相対しており、ほとんど可動部４８ａを押圧していない。そして、ストロボ充電操作ノブ１０をオフ位置からオン位置に向かって上方に移動させると、突起部３８ｇが可動部４８ａを導通パターン４９に向かって徐々に押していき、突起部４５が凹部４６に係合したときには、可動部４８ａの先端が導通パターン４９に接触してストロボ充電スイッチ３５がオンになる。
【００２６】
前記突条部３８ｄは、図１に示すように、レンズバリア６と一体に形成されたレバー部６ａとレンズバリア６を開位置から閉位置へ移動させた際に係合される。ストロボ充電操作ノブ１０がオン位置にある場合には、レバー部６ａは突条部３８ｄのテーパー面５３に当接して操作ノブ基部３８を下方に押し下げる。そして、完全にレンズバリア６が閉位置に達すると、レバー部６ａは突条部３８ｄの平らな頂上部に達して操作ノブ基部３８をストロボ充電スイッチ３５のオフ位置にロックする。なお、符号１３ｄは前カバー１３の背面に一体に形成されたレバー部６ａのガイド板であり、レバー部６ａの上方移動を押さえている。
【００２７】
前記二股突起部３９にはライトガイド４の突起部４ａが係合され、操作ノブ基部３８の上下動に応動してライトガイド４も上下動される。そして、ライトガイド４の下方に設けられた入射面４ｂは、ライトガイド４が上昇した位置でストロボ基板３１に設けられたＬＥＤ５５と相対される。
【００２８】
次に、上記実施例の作用について説明する。レンズ付きフイルムユニット１を組み立てるには、まず本体基部１４の前面に露光ユニット１５を取り付けてから、ストロボユニット１６のメインコンデンサ３２がフイルムロール室２３の上部に位置するように露光ユニット１５とフイルムロール室２３との間に取り付ける。次に、ストロボユニット１６のストロボ基板３１の上に、突起部４０ｇが表側になり、かつストロボ充電スイッチ３５が開口４０ｆから露呈するように、ガイド部材４０を載せる。これにより、ピン４１，４４が孔４０ｎ，切り欠き４０ｐに挿通されるとともに、安定用突起部４０ｊ，４０ｋ，４０ｍがストロボ基板３１の平面部に当接してガイド部材４０は安定した所定位置に位置決めされる。
【００２９】
次に、ライトガイド４が非突出状態で突起部４５が凹部４７に係合し、突起部４０ｇ，４０ｈが開口３８ａ，３８ｂに係合し、かつ突起部４０ｉが開口３８ｃに係合するように、操作ノブ基部３８をガイド部材４０の上に載置する。これにより、ライトガイド４の突起部４ａに二股突起部３９が係合するとともに、操作ノブ基部３８はきわめて安定した状態で位置決めされる。この後、露光ユニット１５及びストロボユニット１６を本体基部１４との間に挟むように前カバー１３を本体基部１４の前側に取り付ける。更に、本体基部３８の背面側にフイルム装填を行ってから後カバー１８を装着する。このように組み立てられたユニット本体２に外装ラベル３が貼着され、レンズ付きフイルムユニット１が完成される。
【００３０】
レンズ付きフイルムユニット１を使用しないときには、図５に示すように、レンズバリア６を閉じておく。この状態では、レバー部６ａが突条部３８ｄの頂上部に係合して操作ノブ基部３８の上昇を阻止しているから、ストロボ充電操作ノブ１０の不用意な移動が防止される。
【００３１】
レンズ付きフイルムユニット１を使用するには、まずレンズバリア６を閉位置から開位置までスライド移動させて撮影レンズ７を露呈させる。次に、ストロボ撮影を行う際には、ストロボ充電操作ノブ１０を操作して上方に移動させる。このとき、レンズバリア６とともにレバー部６ａが突条部３８ｄとの係合位置から退避しているから、容易にストロボ充電操作ノブ１０を上昇操作することができる。これにより、ライトガイド４がユニット本体２の上部から突出するとともに、突起部３８ｇが電気接片４８の可動部４８ａを押圧してその先端を導通パターン４９に接触させ、ストロボ充電スイッチ３５がオンされる。また、突起部４５が凹部４６に係合して操作ノブ基部３８はクリックストップされる。
【００３２】
ストロボ回路が作動を開始し、メインコンデンサ３２が規定充電電圧まで充電されると、ＬＥＤ５５が点灯する。このＬＥＤ５５から放射された光は、光入射面４ｂからライトガイド４の中に入り、これを通ってライトガイド４の上部からレンズ付きフイルムユニット１の前面側と背面側とに向けて同時に放射されるので、撮影者と被撮影者とが同時にストロボ充電の完了を確認することができる。これにより、撮影者は次の撮影操作に移ることができ、被撮影者は撮影準備が整ったことを確認して撮影される準備を行うことができる。
【００３３】
撮影者がシャッタボタン１２を押下すると、露光ユニット１５のシャッタ機構がレリーズ動作し、これに連動してシンクロスイッチ３４がオンする。シンクロスイッチ３４がオンすると、メインコンデンサ３２の電荷が放電され、放電管が発光し、ストロボ発光部９から被写体に向けてストロボ光が照射される。被写体を反射した光は、撮影レンズ７を透過してアパーチャにセットされた写真フイルム２２に露光され、撮影コマが形成される。
【００３４】
撮影終了後、レンズバリア６を閉じれば、撮影レンズ７がレンズバリア６によって保護されるとともに、レバー部６ａが突条部３８ｄのテーパー面５３を押圧して操作ノブ基部３８を下方に押し下げ、ストロボ充電スイッチ３５がオフになる。ストロボ撮影のみを止めたい場合には、レンズバリア６を閉じることなく、ストロボ充電操作ノブ１０を下方にスライド移動させる。これにより、メインコンデンサ３２への充電動作が停止されるとともに、ストロボ回路によってシンクロスイッチ３４がオンされてもストロボ発光部９が発光しないようになるから、ストロボを使用しない通常撮影を行うことができる。
【００３５】
以上説明した実施形態は、レンズバリアを備えたレンズ付きフイルムユニットであったが、本発明はレンズバリアがないものでもよい。また、ライトガイドを上下動自在としたが、ライトガイドは固定式でもよい。
【００３６】
【発明の効果】
以上説明したように、本発明のレンズ付きフイルムユニットによれば、ストロボ基板と前カバーとの間に充電スイッチをオンオフする充電操作部材をその一部が前カバーに形成された開口を通して外部に突出するようにスライド自在に設けるとともに、ストロボ基板と充電操作部材との間に充電操作部材を摺動自在にガイドするガイド部材を設けたので、簡単な構成でありながら前カバーの取付前に充電操作部材をストロボ基板に対して安定的にガイドできる。
【００３７】
また、ガイド部材は、ストロボ基板上の半田の盛り上がり等の基板凸部を避けた位置でストロボ基板の平面部に当接する突起部を有するとともに、基板凸部と相対する位置に基板凸部を避ける凹部や穴を有するものとしたので、ガイド部材をストロボ基板上に安定して位置決めできる。
【００３８】
また、ガイド部材と充電操作部材とは協働して、充電操作部材を充電スイッチのオン位置とオフ位置とにそれぞれクリックストップするクリックストップ機構を構成するので、充電操作部材の不用意な移動を防止でき、ストロボを用いない通常撮影とストロボ撮影とを確実に切り換えて撮影を行うことができる。また、充電スイッチは、ストロボ基板上に形成された導通パターンと、この導通パターン近傍のストロボ基板上に一端部が固定され、他端部が導通パターンと対面するように中間部がほぼＵ字型に湾曲された電気接片とから構成したので、ストロボ基板上の小さなスペースで構成可能で、電気接片は小さな力で大きな撓み量を得ることができ、電気接片の他端部が導通パターンに接触された状態が長時間にわたっても電気接片の弾性力が減少することがない。
【図面の簡単な説明】
【図１】  本発明に係る操作ノブ基部とガイド部材とストロボ基板との関係を示す説明図である。
【図２】レンズバリアを開いた状態のレンズ付きフイルムユニットの外観を示す斜視図である。
【図３】ユニット本体の構成を示す分解斜視図である。
【図４】操作ノブ基部の突起部とストロボ充電スイッチとの関係を示す説明図である。
【図５】レンズバリアを閉じた状態のレンズ付きフイルムユニットの外観を示す斜視図である。
【符号の説明】
１  レンズ付きフイルムユニット
４  ライトガイド
６  レンズバリア
９  ストロボ発光部
１０  ストロボ充電操作ノブ
１５  露光ユニット
１６  ストロボユニット
３１  ストロボ基板
３５  ストロボ充電スイッチ
３８  操作ノブ基部
３８ａ〜３８ｃ，４０ａ〜４０ｆ  開口
３８ｄ  突条部
３８ｅ，３８ｇ，４０ｇ〜４０ｉ，４５  突起部
４０  ガイド部材
４０ｊ，４０ｋ，４０ｍ  安定用突起部
４０ｎ  孔
４０ｐ  切り欠き
４１，４４  ピン
４６，４７  凹部
４８  電気接片
４９  導通パターン
【図１】
0003745891.tif 000002
【図２】
0003745891.tif 000003
【図３】
0003745891.tif 000004
【図４】
0003745891.tif 000005
【図５】
0003745891.tif 000006